(57)【特許請求の範囲】
【請求項１】
四辺が等しい四辺形の本体布と、２枚の脇布とを用意し、１つの対角線で折った前記本体布の両側に２枚の前記脇布を縫合することで製作され、製作完了後、正面から見て、胴周り部と、左右一対の脇部および裾口部と、２つの前記裾口部を結ぶ股下部とを有し、前記胴回り部における背面側の胴回り部分が正面側の胴回り部分よりも短くなったズボンであって、
前記本体布は、前記１つの対角線で折ったときに生じる二等辺を有する正面側部分および背面側部分に関し、前記背面側部分の頂角部を形成する前記二等辺の各々がその頂角が元の頂角よりも大きくなるように切り取られ、前記背面側部分の頂角部の湾曲切り取り部の長さが前記正面側部分の頂角部の湾曲切り取り部の長さよりも短くなるように、前記正面側部分の頂角部と前記背面側部分の頂角部が装着者の胴回りに沿う曲線に切り取られた形状に形成され、
前記本体布を前記１つの対角線で折り、前記本体布の四辺形を形成する２組の隣り合う辺の間に前記２枚の脇布の各々を縫合して前記脇部を形成し、
前記正面側部分と前記背面側部分の１つに重なった各頂角部と前記２枚の脇布の各上端部とで前記胴回り部を形成すると共に、前記正面側部分と前記背面側部分の各々の両端底角部と前記２枚の脇布の各下端部とで前記裾口部を形成し、
前記本体布の前記１つの対角線の部分で前記股下部を形成する、
ことを特徴とするズボン。
【請求項２】
前記本体布は、前記１つの対角線で折ったときに生じる前記正面側部分および前記背面側部分に関し、前記正面側部分と前記背面側部分の各々の両端底角部を形成する斜辺下部を切り取った形状に形成されることを特徴とする請求項１記載のズボン。
【請求項３】
前記脇布の長手方向の長さを、装着者の足の長さに応じて前記本体布の隣り合う前記辺の長さよりも長くしたことを特徴とする請求項１記載のズボン。
【請求項４】
前記本体布の形状は正方形であることを特徴とする請求項１記載のズボン。
【請求項５】
前記本体布と２枚の前記脇布は１枚の原形の布から切り出されることを特徴とする請求項１記載のズボン。
【発明の詳細な説明】
【技術分野】
【０００１】
本発明はズボンに関し、特に、簡易な形状の布地材料を用いて簡単な製法で作ることができ、身体への締め付けが少なく着用時に快適でかつ動きやすく、さらに製作自由度が高くかつ製法上各種サイズの全ての布に対応できるズボンに関する。
【背景技術】
【０００２】
本発明者は先に特許文献１に開示されるようなズボンを提案して特許を取得した。このズボンは、足（または脚）を入れる２本に分かれた筒部を有しておらず、ほぼ円形のスカートと同様な広がりを備えかつ袋状形態を有するズボンであり、締め付けが少なく、はきやすいズボンである。このズボンは、従来の類似のズボンに比較して、折り方、縫合の仕方の観点で独自性があり、製作の自由度が相対的に高く、様々な足の長さや胴回りに対して適用することが容易であり、性別や年齢に関係なく着用でき、代表的に一枚の布を利用して作ることができるという利点を有している。
【先行技術文献】
【特許文献】
【０００３】
【特許文献１】特許第４８２２５６９号公報（図１、図２等）
【発明の概要】
【発明が解決しようとする課題】
【０００４】
上記のズボンは前述した利点を有しているものの、ズボンの製作の観点で利用する布の形状やサイズについて制約を受け、そのため製作されたズボンのデザイン上の自由度が制限を受け、さらに製作手順上の理由から各種サイズの全ての布に対応することができないという問題を有していた。そのため、改善の余地が存在した。
【０００５】
本発明の目的は、上記の課題に鑑み、外出着から普段着や仕事着までに利用でき、簡易形状の布地材料を用いて簡単な製法で作ることができ、製作の自由度が非常に高くかつ全サイズの布に対応することができ、装着者の体型に適切に対応することができ、デザイン性を向上することができ、かつ身体への締め付けがより少なく、着用時に快適でありかつ動きやすいズボンを提供することにある。
【課題を解決するための手段】
【０００６】
本発明に係るズボンは、上記の目的を達成するため、次のように構成される。
【０００７】
第１のズボン（請求項１に対応）は、
四辺が等しい四辺形の本体布と、２枚の脇布とを用意し、１つの対角線で折った本体布の両側に２枚の脇布を縫合することで製作され、製作完了後、正面から見て、胴周り部と、左右一対の脇部および裾口部と、２つの裾口部を結ぶ股下部とを有し、胴回り部における背面側の胴回り部分が正面側の胴回り部分よりも短くなったズボンであり、
本体布は、１つの対角線で折ったときに生じる二等辺を有する正面側部分および背面側部分に関し、背面側部分の頂角部を形成する二等辺の各々がその頂角が元の頂角よりも大きくなるように切り取られ、背面側部分の頂角部の湾曲切り取り部の長さが正面側部分の頂角部の湾曲切り取り部の長さよりも短くなるように、正面側部分の頂角部と背面側部分の頂角部が装着者の胴回りに沿う曲線に切り取られた形状に形成され、
本体布を１つの対角線で折り、本体布の四辺形を形成する２組の隣り合う辺の間に２枚の脇布の各々を縫合して脇部を形成し、
正面側部分と背面側部分の１つに重なった各頂角部と２枚の脇布の各上端部とで胴回り部を形成すると共に、正面側部分と背面側部分の各々の両端底角部と２枚の脇布の各下端部とで裾口部を形成し、
本体布の１つの対角線の部分で股下部を形成する、ことによって特徴づけられる。
【０００８】
上記のズボンでは、四辺が等しい四辺形の１枚の本体布と好ましくは長方形の２枚の脇布とを用いてスカート状でかつ袋状のズボンとして製作する。ズボンの下部は１枚の本体布の１つの対角線部分によって形成され、着用時に両足が挿通される左右一対の裾口部（開口部）以外の部分は閉じており、この部分が股下部を形成する。
ズボンの正面側は、本体布を１つの対角線で折ったときに生じる正面側部分（ほぼ二等辺三角形の形状を有する部分）で形成され、ズボンの背面側は同様にして背面側部分（ほぼ二等辺三角形の形状を有する部分）で形成される。正面側部分は背面側部分と重ね合わせられる。その際において、正面側部分と背面側部分の各々の頂角部分が胴回り部となる。胴回り部を作るにあたり、背面側部分の頂角部分の頂角が元の頂角よりも大きくなるように、両側の２つの等辺がカットされる。その結果、胴回り部を作るとき、正面側部分の頂角部分に作られる湾曲切取り部の長さに対して、背面側部分の頂角部分に作られる湾曲切取り部の長さが短くなるように設定される。この結果、完成されたズボンでは、その形として、胴回り部における背面側の胴回り部分が正面側の胴回り部分よりも短くなるように製作される。こうして、本体布の正面側部分と背面側部分の各頂角部分に形成される長さの異なる湾曲切取り部を縫合して胴回り部を作るようにしたため、サイズの異なる布および着用する人の体型に容易に対応させて作ることができるという利点を生じる。
基本的には、簡単な形状を有する１枚の本体布と２枚の脇布を利用して、これらの本体布と脇布を上記の通りの製作手順に基づいて、切り、折り、または縫合することに基づいて作ることができる。
また背面側部分の頂角部の湾曲切り取り部の長さを短くすることにより、装着者の体型に合わせることができる。
【００１０】
第２のズボン（請求項２に対応）は、上記の構成において、好ましくは、本体布は、１つの対角線で折ったときに生じる正面側部分および背面側部分に関し、正面側部分と背面側部分の各々の両端底角部を形成する斜辺下部を切り取った形状に形成されることを特徴としている。正面側部分と背面側部分の各々の両端底角部を形成する斜辺下部を切り取り、形を調整することにより、装着者の足部の形や長さに対応させることができる。
【００１１】
第３のズボン（請求項３に対応）は、上記の構成において、好ましくは、脇布の長手方向の長さを、装着者の足の長さに応じて本体布の隣り合う辺の長さよりも長くしたことを特徴としている。脇布はズボンの脇部を形成し、装着者の足に沿う部分であるので、両側の脇布の丈を長くすることにより、長身の装着者に対して適合させることができる。
【００１２】
第４のズボン（請求項４に対応）は、上記の構成において、好ましくは、本体布の形状は正方形であることを特徴とする。
【００１３】
第５のズボン（請求項５に対応）は、上記の構成において、好ましくは、本体布と２枚の脇布は１枚の原形の布から切り出されることを特徴とする。
【発明の効果】
【００１４】
本発明に係るズボンによれば、例えば矩形の簡易な形状の布地材料を用いて簡単な製法で作ることができ、製作の自由度が非常に高く、さらに全サイズの布に対応することができ、加えて装着者の体型に適切に対応することができ、デザイン性を向上することができ、かつ身体への締め付けがより少なく、着用時に快適でかつ動きやすいという効果を奏する。
【図面の簡単な説明】
【００１５】
【図１】製作完成後の本発明に係るズボンを人が着用した状態をイメージ的に示す正面図である。
【図２】本発明の第１の実施形態に係るズボンの製作完成後の前側外観を示す正面図である。
【図３】本実施形態に係るズボンの製作完成後の後側外観を示す背面図である。
【図４】本実施形態に係るズボンの製作に使用される原形の１枚の布の形状を示す図である。
【図５Ａ】本実施形態に係るズボンの製作工程の前半を示す図である。
【図５Ｂ】本実施形態に係るズボンの製作工程の後半を示す図である。
【図６】本発明に係るズボンの製作工程の変形例を説明するための図である。
【図７】本発明の第２の実施形態に係るズボンの製作工程を示す図である。
【発明を実施するための形態】
【００１６】
以下に、本発明の好適な実施形態（実施例）を添付図面に基づいて説明する。
【００１７】
図１〜図３を参照して本発明の第１の実施形態に係るズボンを説明する。図１は、ズボン１０が後述の製作工程を経て、製品として完成された状態にあり、人（着用者）１１がズボン１０を着用した状態を示している。人１１は女性または男性である。また成人であっても子供であってもよい。図１において、人１１の下半身に着用されたズボン１０はその自重によって自然に垂れ下がり、自然な重なり部やしわ部が生じた状態にある。ズボン１０は、通常のよく知られたズボンとは異なり、人１１の２本の足（または脚）１１ａを入れる２つの筒部を備えた形状を有していない。ズボン１０は、上部に人１１の胴部（腰部）１１ｂを通す胴回り部（開口部）１０Ａと、下部の両側に人１１の各足１１ａを通す２つの裾口部（開口部）１０Ｂが形成されている。ズボン１０は全体としてほぼ袋状の形状を有し、図１において、上側に形成された１つの開口部が胴回り部１０Ａとなり、下側両端に形成された２つの開口部が一対の裾口部１０Ｂとなっている。製作が完了したズボン１０においては、その前側部分で正面部１０Ｃを形成し、その後側部分では背面部１０Ｄを形成している。図１で、背面部１０Ｄの引出し線の先部は破線で示されており、この破線の先端がズボン１０の背面側を指していることを意味している。これらの正面部１０Ｃと背面部１０Ｄの各々の下辺部はつながっており、正面部１０Ｃと背面部１０Ｄは連続している。ズボン１０の正面部１０Ｃの両側には、前側から見ると、左右一対の脇部１０Ｅが形成されている。この点は、ズボン１０の背面部１０Ｄを後側から見ても同じであり、背面部１０Ｄの両側には左右一対の脇部１０Ｅが形成されている。左右の各脇部１０Ｅはズボン１０の側部を形作っている。左右一対の上記の裾口部１０Ｂの間は、当該２つの裾口部１０Ｂを結ぶ股下部１０Ｆとなっている。この股下部１０Ｆは正面部１０Ｃと背面部１０Ｄの各々にとって共通の下辺部になっている。ズボン１０の下側両側の裾口部１０Ｂからは、人１１の足１１ａにおける足首から先の部分が出ている。ズボン１０を装着する人１１の足１１ａの全体は、ズボン１０の内側で脇部１０Ｅに沿っている。
【００１８】
また図１において、２本の線１０Ｇと１０Ｈは正面側の縫合線を示している。
【００１９】
ズボン１０の正面部１０Ｃと背面部１０Ｄは、図１に示した状態では、人１１の身体の下半身にゆったりとまとわりつき、下方に垂れ下がった状態にある。他方、完成されたズボン１０の形を図２と図３に正確に示す。この場合には垂れやしわが生じないように示している。図２はズボン１０の正面図を示し、図３は背面図を示す。図２と図３の図示状態では、ズボン１０の正面部１０Ｃと背面部１０Ｄの各々はほぼ二等辺三角形の形状またはこれに類似した形状を有している。図２において、正面部１０Ｃの底辺（股下部１０Ｆ）および左右の斜辺（二等辺）と、破線１２で示した部位とによって、正確な二等辺三角形が描かれる。破線１２は仮想的に示した線である。点１２Ａが二等辺三角形の頂点となる。この場合、頂点１２Ａの頂角をθ１とする。従って、正面部１０Ｃ自体は、頂角部が欠落したほぼ二等辺三角形の形状となっている。図３において、背面部１０Ｄの底辺（股下部１０Ｆ）と、破線１３で示した部位とによって、正確な二等辺三角形が描かれる。破線１３は仮想的に示した線である。点１３Ａが二等辺三角形の頂点となっている。この頂点１３Ａにおける頂角も上記と同じくθ１である。従って、背面部１０Ｄ自体は、頂角部が欠落したほぼ二等辺三角形の形状になっている。この背面部１０Ｄの場合には、後述するように、２つの斜辺（二等辺）の各々が、底辺（股下部１０Ｆ）と破線１３で示された部位で作られる二等辺三角形の２つの斜辺に比して、両端底角が小さくなるように、切り取って形成されている。これを頂角で比較すると、背面部１０Ｄの２つの等しい斜辺（二等辺）が形成する頂角（θ２）は、底辺（股下部１０Ｆ）と破線１３で示された部位で作られる二等辺三角形の頂角（θ１：元の頂角）よりも大きくなっている。ほぼ二等辺三角形の形状を有する正面部１０Ｃと背面部１０Ｄの各々の頂角部分は上記の胴回り部１０Ａを形成する部分に対応し、またその両端の底角部分は上記の裾口部１０Ｂを形成する部分に対応している。
【００２０】
図２と図３において、胴回り部１０Ａ、脇部１０Ｅ、裾口部１０Ｂ、縫合線１０Ｇ，１０Ｈ，１０Ｉ，１０Ｊが示されている。図２と図３の対比でも明らかなように、背面部１０Ｄの頂角部における胴回り部１０Ａの長さ方向に沿った湾曲部の長さ（Ｌ１）は、上述のごとく背面部１０Ｄの二等辺の各斜辺を切り取って加工したため、正面部１０Ｃの頂角部における胴回り部１０Ａに沿った湾曲部の長さ（Ｌ２）よりも短くなっている。このように、ズボン１０では、後述する製作工程の説明で明らかなように、胴回り部１０Ａについて、背面側部分の長さＬ１を正面側部分の長さＬ２よりも着用者の体型条件に応じて必要な長さの分だけ短く作るようにしたため、使用する布のサイズおよび着用する人の体型に容易に対応させることができるという利点を有している。
【００２１】
次に、図４と図５Ａ，５Ｂを参照して、ズボン１０の製作の工程を説明する。図４において、（１）は、一例として、ズボン１０の製作に使用される原形となる１枚の布２０の形状を示し、（２）はこれをさらに切って３つの布に分けた状態を示している。図５Ａ，５Ｂは、布２０を用いてズボン１０の製作工程の代表的な例（工程（１）〜（５））を示している。
【００２２】
図４の（１）において、実線で示された部分は原形の布２０の輪郭形状を示し、２つの破線２０ａで示した線は布２０における製作工程での切り取り線を示している。原形をなす布２０の形状は、例えば、好ましくは長方形の形状を有している。この布２０に対して、破線２０ａで切断して、図４の（２）に示すように、１枚の本体布２１と２枚の脇布２２を取り出す。本体布２１は好ましくは正方形の形状をなし、その対角線は直交している。本体布２１の形状は、好ましくは対角線が直交していれば良く、４つの辺が等しい正方形や菱形、辺が必ずしも等しくない四角形、４辺が等しくない菱形の変形（凧型の四角形等）、またはこれに類似する四辺形などである。対角線の長さが同じである必要ではなく、また対角線の中心で対角線が交差する必要もない。図４の（２）では、対角線の直交状態を示すために、本体布２１を切断で取り出した状態から９０度回転させて示している。２枚の脇布２２は同形の長方形を有しており、その長辺は本体布２１の一辺に等しいように形成されている。これらの本体布２１と脇布２２に対して、以下に説明するように、適宜に、切り取り加工、折り加工、縫合加工等が行われ、本実施形態に係るズボン１０が製作される。
【００２３】
次に、図４および図５Ａ，５Ｂを参照して、ズボン１０の製作工程の各工程の内容を詳述する。製作工程を説明するための図５Ａ，５Ｂでは５つの工程（１）〜（５）が示されている。
【００２４】
工程（１）：
工程（１）の図は上記の図４の（２）で示した図と同じである。
この最初の工程（１）では、原形となる１枚の布２０から１枚の本体布２１と、２枚の脇布２２を切り取り、１枚の本体布２１と２枚の脇布２２を用意する。切り取りのイメージは図４に示した通りである。正方形の本体布２１の４つの辺２１ａ−１〜２１ａ−４の長さと、長方形をした脇布２２の長辺部分の長さとは、同じ寸法（Ｌ３）である。この寸法Ｌ３は、上記の脇部１０Ｅの長さとほぼ一致する。
また本体布２１は、４つの辺２１ａ−１〜２１ａ−４を有する四角形の形状を有し、これらの４つの辺２１ａ−１〜２１ａ−４は等しい長さを有している。そして本体布２１において定義される２つの対角線２１ｂ−１，２１ｂ−２は直角に交差している。本体布２１の形状は好ましくは正方形である。
なおこの実施形態では、１枚の布２０からの切取りによって本体布２１と脇布２２を作ったが、これに限定されず、他の布材を用いて別々に用意してもよい。
【００２５】
工程（２）：
この工程（２）では、本体布２１が最終的に１つの対角線２１ｂ−１に沿って２つ折りで折られることから、２つ折りにした途中の状態の本体布２１を斜視図として示している。この結果、本体布２１では、２つの二等辺三角形の部分２１Ａ，２１Ｂが形成される。二等辺三角形の部分２１Ａはズボン１０の正面部１０Ｃを形成する部分であり、二等辺三角形の部分２１Ｂはズボン１０の背面部１０Ｄを形成する部分である。以下、本体布２１の二等辺三角形の部分２１Ａを「正面側部分２１Ａ」と記し、本体布２１の二等辺三角形の部分２１Ｂを「背面側部分２１Ｂ」と記す。
【００２６】
工程（３）：
工程（３）は、工程（２）と同様に、本体布２１を２つ折りにし、加工を施した途中状態の斜視図を示す。
本体布２１を完全に折り返して重ねた状態では、通常的には、正面側部分２１Ａと背面側部分２１Ｂは同じ形状を有している。しかし、正面側部分２１Ａの頂角部に対して、背面側部分２１Ｂの頂角部は、前述したように、その頂角（上記θ２）が大きくなるように、背面側部分２１Ｂの２つの辺２１ａ−１，２１ａ−４が切り取られる。その結果、背面側部分１２Ｂでは２つの辺２１ａ−１’，２１ａ−４’が形成される。
さらに、正面側部分２１Ａの頂角部と、背面側部分２１Ｂの頂角部とは、ズボン１０の胴回り部１０Ａが形成されるように、人１１の身体に沿う曲線の形状（２１Ａ−１，２１Ｂ−１）に切り取られている。この場合において、背面側部分２１Ｂの頂角部の頂角は正面側部分２１Ａの頂角部の頂角よりも大きく作られているので、正面側部分２１Ａの頂角部に作られる湾曲切取り部２１Ａ−１の長さ（Ｌ２）に対して、背面側部分２１Ｂの頂角部に作られる湾曲切取り部２１Ｂ−１の長さ（Ｌ１）が短くなるように設定される。
なお、図５Ａの工程（３）の図では、本体布２１の元々の正面側部分２１Ａおよび背面側部分２１Ｂ（二等辺三角形の形状部分）との形状関係を示すため、図２および図３で示した破線１２の部位、二等辺三角形の頂点１２Ａ、破線１３で示した部位、二等辺三角形の頂点１３Ａを併せて示している。
【００２７】
工程（４）：
工程（４）は、上記のごときカット加工された形状を有する正面側部分２１Ａと背面側部分２１Ｂを有する本体布２１に対してその両側に２枚の脇布２２を縫いつける直前の状態を示す斜視図を示している。本体布２１の２組の隣り合う２辺の各々の間、すなわち辺２１ａ−１’と辺２１ａ−２の間、辺２１ａ−３と辺２１ａ−４’の間に、２枚の脇布２２のそれぞれを縫合し、それによって左右一対の脇部１０Ｅが形成される。具体的には、長方形を有した２枚の脇布２２の各々の２つの長辺の部分を、脇布２２を折り曲げて本体布２１の対応する辺の部分に縫合する。この場合において、２枚の脇布２２は、その長辺方向の寸法が本体布２１の辺２１ａ−１’，２１ａ−２，２１ａ−３，２１ａ−４’の長さにほぼ一致するように切られている。縫合直前の脇布２２は、正面側で縫合される部分と背面側で縫合される部分となるように、折り曲げられた状態で示されている。
正面側部分２１Ａの湾曲切取り部２１Ａ−１の長さ（Ｌ２）に対して背面側部分２１Ｂの湾曲切取り部２１Ｂ−１の長さ（Ｌ１）が短くなるので、脇布２２の背面側部分の方が正面側部分よりも広い面積領域となっている。
上記によってズボン１０の基本的な形状部分が形成される。すなわち、本体布２１の所定部分をカットしかつ対角線２１ｂ−１で本体布２１を折り、さらに所定の辺の箇所に２枚の脇布２２をカット加工した後に付けることによって、正面側部分２１Ａ（正面部１０Ｃに対応）と背面側部分２１Ｂ（背面部１０Ｄに対応）と脇部１０Ｅが形成される。前述した縫合線１０Ｇ，１０Ｈ，１０Ｉ，１０Ｊは、本体布２１と脇布２２とを縫い合わせた線を示している。また折り返される対角線２１ｂ−１の布部分は前述の股下部１０Ｆとなる。さらにズボン１０の基本的な形状において、上部に胴回り部１０Ａとなる開口部Ｓ１が形成され、下部両側には裾口部１０Ｂとなる開口部Ｓ２が形成される。
【００２８】
工程（５）：
工程（５）の図は、図２に示した正面図と同じである。この工程（５）では、本体布２１と２枚の脇布２２を縫合した後において胴回り部１０Ａと裾口部１０Ｂが形成される。工程（５）はズボン１０を製品として完成させるための細部の仕上げ加工の工程である。工程（５）では、先ず、胴回り部１０Ａとなる開口部Ｓ１においてその開口の周り全体にわたって例えばゴム等の挿通部を設け、この挿通部にゴム等を挿通する。また裾口部１０Ｂとなる両側の２つの開口部Ｓ２の各々においてその開口の周り全体にわたってその裾縫いを施している。
上記のように、本体布２１の正面側部分２１Ａと背面側部分２１Ｂの各頂角部に形成される長さの異なる湾曲切取り部を２つの脇布２２の上端部を介して縫合し胴回り部１０Ａを作るようにしたため、サイズの異なる布および着用する人の体型に容易に対応させて作ることができるという利点を生じる。
なお図５Ｂの（５）において、正面部１０Ｃは正面側部分２１Ａと共通であり、脇部１０Ｅは脇布（２２）と共通であり、股下部１０Ｆは対角線２１ｂ−１と共通である。
【００２９】
上記のごとく製作されたズボン１０において、さらに例えば背面部３の左右両側にはポケット等の機能部、その他の飾り部を設けることもできる。
【００３０】
また他の変形例として、ズボン１０を製作するための工程（３）での本体布２１の加工において、正面側部分２１Ａと背面側部分２１Ｂを折り重ねたときに、重ね合わせ状態で２つの等辺部分の両底角部分の辺を切り取ることもできる。切り取り線の一例を図６に示す。図６は正面側部分２１Ａと背面側部分２１Ｂを折り重ねたときの正面図を示し、図６において符号３１が切り取り線を示している。このように、２つの等辺部分の両底角部分の辺を切り取ることによって、ズボン１０の形を人１１の下半身の体型に対応させることができ、ズボン１０の製作自由度を高くすることができ、布の全サイズに対応することができる。
【００３１】
次に図７を参照して本発明の第２の実施形態に係るズボンを説明する。図７の（１）は図５Ａの（１）に対応する図であり、図７の（２）は図５Ｂの（４）に対応する図である。その他の本体布２１の形や構成、製作手順は、上記の第１の実施形態で説明した内容と同じである。
この実施形態のズボン１０では、２枚の脇布２２’が本体布２１に対して別途に用意され、当該脇布２２’の長さ方向の寸法（丈）Ｌ４は本体布２１の辺２１ａ−１’，２１ａ−２，２１ａ−３，２１ａ−４’の長さよりも長くなるように作られている。本実施形態によるズボン１０では、脇布２２’の丈を長くすることにより、ズボン１０を装着する人１１の下半身、すなわち足１１ａの長さに応じて適切に調整することができ、特に人１１が長身の体型である場合にも適切に対応することができる。
【００３２】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【産業上の利用可能性】
【００３３】
本発明に係るズボンは、外出着から普段着、仕事着等までに使用され、身体を締め付けることなくゆったりと装着することができ、簡単な形の原形布を利用して長身な体型等のいろいろな体型の人に対応して容易に製作することができ、リラックスな装着感を与えることができ、服のデザイン、衣料等の産業に利用され得る。
【符号の説明】
【００３４】
１０            ズボン
１０Ａ          胴回り部（開口部）
１０Ｂ          裾口部（開口部）
１０Ｃ          正面部
１０Ｄ          背面部
１０Ｅ          脇部
１０Ｆ          股下部
１０Ｇ，１０Ｈ  縫合線
１０Ｉ，１０Ｊ  縫合線
１１            人
１１ａ          足（脚）
１１ｂ          胴部（腰部）
１２            破線（仮想線）
１２Ａ          頂点
１３            破線（仮想線）
１３Ａ          頂点
２０            布
２１            本体布
２１Ａ          正面側部分
２１Ｂ          背面側部分
２２            脇布
２２’          脇布
２１ｂ−１      対角線
１２ｂ−２      対角線
θ１，θ２      頂角
Ｌ１            背面側胴回り部の湾曲部長さ
Ｌ２            正面側胴回り部の湾曲部長さ
【要約】
【課題】製作自由度が高く、全サイズの布に対応することができ、装着者の体型に適切に対応することができるズボンを提供する。
【解決手段】ズボン１０は、対角線が直交する四辺形の本体布２１と２枚の脇布２２を用意し、１つの対角線で折った本体布の両側に２枚の脇布を縫合して製作する。本体布は、二等辺を有する正面側部分２１Ａおよび背面側部分２１Ｂに関し、背面側部分の頂角部を形成する二等辺の各々がその頂角が元の頂角よりも大きくなるように切り取られ、正面側部分の頂角部と背面側部分の頂角部が装着者の胴回りに沿う曲線に切り取られた形状に形成される。本体布の四辺形を形成する２組の隣り合う辺の間に２枚の脇布をそれぞれ縫合して脇部を形成する。
【選択図】図３【図１】
0005140197.tif 000002
【図２】
0005140197.tif 000003
【図３】
0005140197.tif 000004
【図４】
0005140197.tif 000005
【図５Ａ】
0005140197.tif 000006
【図５Ｂ】
0005140197.tif 000007
【図６】
0005140197.tif 000008
【図７】
0005140197.tif 000009